(57)【要約】      （修正有）【課題】鍵のつまみの装飾装置の提供。【解決手段】鍵本体１１とつまみ１２を具えた鍵１にあって、つまみ１２に欠部１２１が設けられ、欠部１２１に文字、写真、或いはイメージ等を具えた装飾手段１２２が嵌め込まれ、且つ透明保護層１２３でつまみ１２が被覆され、つまみ１２が装飾による美観性を具備するものとされる。特に、透明保護層１２３は一体射出成形でつまみ１２を被覆するよう形成されるのが好ましい。【選択図】図１
0003104379.tif 000002
【実用新案登録請求の範囲】
【請求項１】
鍵本体とつまみを具えた鍵に適用される鍵のつまみの装飾装置において、
該つまみに欠部が設けられ、該欠部に文字又はイメージを具えた装飾手段が嵌め込まれ、透明保護層がつまみを被覆してつまみに装飾機能を具備させることを特徴とする、鍵のつまみの装飾装置。
【請求項２】
請求項１記載の鍵のつまみの装飾装置において、欠部が貫通孔とされたことを特徴とする、鍵のつまみの装飾装置。
【請求項３】
請求項１記載の鍵のつまみの装飾装置において、欠部が凹溝とされたことを特徴とする、鍵のつまみの装飾装置。
【請求項４】
請求項１記載の鍵のつまみの装飾装置において、透明保護層が一体射出成形によりつまみを被覆するよう形成されたことを特徴とする、鍵のつまみの装飾装置。
【請求項５】
請求項１記載の鍵のつまみの装飾装置において、欠部の外形がつまみの外形に符合するよう形成されたことを特徴とする、鍵のつまみの装飾装置。
【請求項６】
請求項１記載の鍵のつまみの装飾装置において、透明保護層の代わりに透明開閉カバーが設けられ、該透明開閉カバーが、凹部内縁に圧入され、装飾手段が透明開閉カバーの下方に圧接されたことを特徴とする、鍵のつまみの装飾装置。
【考案の詳細な説明】
【技術分野】
【０００１】
本考案は一種の鍵のつまみの装飾装置に係り、特に一種の鍵の装飾構造に関する。
【背景技術】
【０００２】
錠前の歴史は古く、その発生の背景には盗難防止、プライバシー保護等の原因がある。錠前の製造の過程で、機械工芸が発展し、また、芸術性に対する要求も生れた。錠前は
番号で制御する暗号式の錠前もあるが、ほとんどは鍵と組み合わされる。この鍵の表面には錠前内部の構造に応じた凹凸が設けられている。鍵の構造は錠前の発展に応じて存続し、且つ現代人の生活、仕事、交通に不可欠の携帯用品となっている。
【０００３】
鍵は実用機能を具備し、現代人にとって不可欠の物品となっているが、もし人の眼を楽しませる視覚効果を有すれば、実用以外の付加価値が明らかになる。現在ほとんどの鍵は金属の鍵本体以外に、使用者の握持に供されるつまみを具えている。鍵本体は錠前の鍵穴及び内部構造に符合し、並びに余分な造形設計を設けにくい。一方、つまみは鍵本体より延伸され、一部の鍵にはつまみ部分に射出成形のプラスチック保護層が設けられ、この保護層に広告文字や商標が表示されている。しかしあまり装飾効果を有してはいない。
【考案の開示】
【考案が解決しようとする課題】
【０００４】
本考案は鍵のつまみ部分に装飾効果を具備させる一種の鍵のつまみの装飾装置を提供
することを目的としている。
【０００５】
本考案によると、鍵は鍵本体とつまみを具え、該つまみに欠部が設けられ、該欠部に文字や模様を具えた装飾手段が嵌め込まれ、且つ透明保護層でつまみが被覆され、つまみが装飾による美観性を具備するものとされる。
【課題を解決するための手段】
【０００６】
請求項１の考案は、鍵本体とつまみを具えた鍵に適用される鍵のつまみの装飾装置において、
該つまみに欠部が設けられ、該欠部に文字又はイメージを具えた装飾手段が嵌め込まれ、透明保護層がつまみを被覆してつまみに装飾機能を具備させることを特徴とする、鍵のつまみの装飾装置としている。
請求項２の考案は、請求項１記載の鍵のつまみの装飾装置において、欠部が貫通孔とされたことを特徴とする、鍵のつまみの装飾装置としている。
請求項３の考案は、請求項１記載の鍵のつまみの装飾装置において、欠部が凹溝とされたことを特徴とする、鍵のつまみの装飾装置としている。
請求項４の考案は、請求項１記載の鍵のつまみの装飾装置において、透明保護層が一体射出成形によりつまみを被覆するよう形成されたことを特徴とする、鍵のつまみの装飾装置としている。
請求項５の考案は、請求項１記載の鍵のつまみの装飾装置において、欠部の外形がつまみの外形に符合するよう形成されたことを特徴とする、鍵のつまみの装飾装置としている。
請求項６の考案は、請求項１記載の鍵のつまみの装飾装置において、透明保護層の代わりに透明開閉カバーが設けられ、該透明開閉カバーが、凹部内縁に圧入され、装飾手段が透明開閉カバーの下方に圧接されたことを特徴とする、鍵のつまみの装飾装置としている。
【考案の効果】
【０００７】
本考案の効果は以下のとおりである。
１．つまみの欠部に文字やイメージを具えた装飾手段が組み合わされ、これにより鍵の美観性が高められている。
２．本考案の装飾手段は透明保護層内に挟まれた状態とされ、透明保護層に被覆されることにより、つまみ部分が質感を有するブロック体とされ、使用者の収納、使用及び観賞に適している。
３．本考案の欠部はつまみの外形に符合する形状とされ、造形上の協調性を有する。
４．本考案はネックレスとしての使用もでき、物品の使用価値が高められている。
【０００８】
総合すると、本考案は実用効果を具え、且つその構造はこれまでになく、新規性を有している。なお、以下に説明する実施例に基づきなしうる細部の修飾或いは改変は、いずれも本考案の請求範囲に属するものとする。
【考案を実施するための最良の形態】
【０００９】
図１、２を参照されたい。本考案の鍵のつまみの装飾装置は、鍵本体１１とつまみ１２を具えた鍵１にあって、該つまみ１２に欠部１２１が設けられ、該欠部１２１に文字、写真、或いはイメージ等を具えた装飾手段１２２が嵌め込まれ、且つ透明保護層１２３でつまみ１２が被覆され、つまみ１２が装飾による美観性を具備するものとされる。特に、本考案の透明保護層１２３は一体射出成形でつまみ１２を被覆するよう形成されるのが好ましい。
【００１０】
また、図８に示される実施例では、鍵１Ｄのつまみの欠部１２１内縁に透明な開閉カバー１２４が圧入され、装飾手段１２２Ｄが開閉カバー１２４の下方に制圧され、この実施例の欠部１２１は底部が非透明状とされる。
【００１１】
図９の実施例では、鍵１Ｅのつまみの欠部１２１内縁に透明な開閉カバー１２４が圧入され、装飾手段１２２Ｅが開閉カバー１２４の下方に制圧され、この実施例の欠部１２１は底部が透明状とされ、図８の実施例に較べ、この実施例は上面と底面のいずれからも組み合わされた模様を観ることができる。
【００１２】
図３の実施例では装飾手段１２２が透明保護層１２３内に挟まれた状態とされ、装飾手段１２２が薄い物体とされるが透明保護層１２３に被覆されることにより、全体として質感を有するブロック体が形成され、使用者の収納と持ち運び及び観賞に適している。
【００１３】
図４、５、６に示される実施例では、欠部１２１Ａ、１２１Ｂ、１２１Ｃが鍵１Ａ、１Ｂ、１Ｃの外形に合わせた外形とされて造形の協調性を有するものとされ、且つ装飾手段１２２Ａ、１２２Ｂ、１２２Ｃも異なるイメージ或いは文字で表現される。
【００１４】
図７の実施例では鍵としての使用以外にネックレスとしての使用もできるものとされ、物品の付加価値が高められている。
【図面の簡単な説明】
【００１５】
【図１】本考案の立体分解図である。
【図２】本考案の組合せ立体図である。
【図３】本考案の断面図である。
【図４】本考案の実施例の平面図である。
【図５】本考案の別の実施例の平面図である。
【図６】本考案のさらに別の実施例の平面図である。
【図７】本考案をネックレスとして使用する状態の表示図である。
【図８】本考案のさらにまた別の実施例の立体分解図である。
【図９】本考案の別の実施例の立体分解図である。
【符号の説明】
【００１６】
１、１Ａ、１Ｂ、１Ｃ、１Ｄ、１Ｅ  鍵
１１  鍵本体
１２  つまみ
１２１、１２１Ａ、１２１Ｂ、１２１Ｃ  欠部
１２２、１２２Ａ、１２２Ｂ、１２２Ｃ、１２２Ｄ、１２２Ｅ  装飾手段
１２３  透明保護層
１２４  開閉カバー
【図１】
0003104379.tif 000003
【図２】
0003104379.tif 000004
【図３】
0003104379.tif 000005
【図４】
0003104379.tif 000006
【図５】
0003104379.tif 000007
【図６】
0003104379.tif 000008
【図７】
0003104379.tif 000009
【図８】
0003104379.tif 000010
【図９】
0003104379.tif 000011